(57)【要約】      （修正有）【課題】ロールチョックのベアリングを容易に抜き出せるロールチョックベアリング抜出装置を提供する。【解決手段】圧延ロールを押し込む方向の力を作用させる当接面を有するスラストアームを備えたロールチョック１００に嵌合されたベアリング１０２を抜き出すためのロールチョックベアリング抜出装置は、圧延ロールが除去された状態でのロールチョック１００におけるスラストアーム１０６の当接面１０６ａに当接するスラストアーム当接部２０１と、ベアリング１０２を抜き出す力を作用させるジャッキ２１０の反力を受けるジャッキ反力受部２０２と、を有するジャッキ反力受フレーム２００を有する。【選択図】図２
0003220884.tif 000002
【実用新案登録請求の範囲】
【請求項１】
圧延ロールを押し込む方向の力を作用させる当接面を有するスラストアームを備えたロールチョックに嵌合されたベアリングを抜き出すためのロールチョックベアリング抜出装置であって、
上記圧延ロールが除去された状態での上記ロールチョックにおける上記スラストアームの上記当接面に当接するスラストアーム当接部と、
上記ベアリングを抜き出す力を作用させるジャッキの反力を受けるジャッキ反力受部と、
を有するジャッキ反力受フレームを有することを特徴とするロールチョックベアリング抜出装置。
【請求項２】
請求項１のロールチョックベアリング抜出装置であって、
さらに、上記ジャッキによるベアリングを抜き出す力をベアリングの軸方向端面に作用させる押出部材を備え、
上記押出部材は、ベアリングの内周面に当接してベアリングの軸に垂直な方向の位置決めをする位置決部を有することを特徴とするロールチョックベアリング抜出装置。
【請求項３】
請求項１および請求項２のうち何れか１項のロールチョックベアリング抜出装置であって、
上記スラストアームは、スラストベアリングを備えたスラストベアリングケースを介して、上記圧延ロールに上記押し込む方向の力を作用させるように構成され、
上記ジャッキ反力受フレームの上記スラストアーム当接部は、上記スラストベアリングケース、および上記圧延ロールが除去された状態での上記ロールチョックにおける上記スラストアームの上記当接面に当接するように構成されていることを特徴とするロールチョックベアリング抜出装置。
【請求項４】
請求項１から請求項３のうち何れか１項のロールチョックベアリング抜出装置であって、
さらに、上記ジャッキ反力受部と、上記ジャッキとの間に配置されるスペーサを備えたことを特徴とするロールチョックベアリング抜出装置。
【考案の詳細な説明】
【技術分野】
【０００１】
本考案は、圧延機のロールチョックに取り付けられたベアリングを抜き出すためのロールチョックベアリング抜出装置に関するものである。
【背景技術】
【０００２】
ロールチョックのベアリングを抜き出す装置としては、ベアリング抜き出し方向を上向きにしてロールチョックを載置台に載置して固定し、ベアリングの下端にフランジを係止させたベアリング押上筒をジャッキで押し上げる装置が知られている（例えば、特許文献１参照。）。
【０００３】
ここで、ロールチョックには、圧延ロールのスラスト方向の位置を調整するために、圧延ロールを押し込む方向や、引き出す方向に移動させるためのヒンジレバー（スラストアーム）を有する調整機構を備えたものがある（例えば、特許文献２参照。）。
【先行技術文献】
【特許文献】
【０００４】
【特許文献１】実公平７−５１２５８号公報
【特許文献２】特開２００８−１６１８７６号公報
【考案の概要】
【考案が解決しようとする課題】
【０００５】
しかしながら、上記のような調整機構を備えたロールチョックは、ベアリング抜き出し方向を上向きにするとヒンジレバーが下方に位置することになるので、固定することが困難である。このため、ベアリングを水平方向に抜き出すなどの困難な作業を要したり、ベアリングをガス切断して除去し、新たなベアリングに交換したりする必要があった。
【０００６】
本考案は、上記の点に鑑み、ロールチョックのベアリングを容易に抜き出せるようにすることを目的としている。
【課題を解決するための手段】
【０００７】
上記の目的を達成するために、
本考案は、
圧延ロールを押し込む方向の力を作用させる当接面を有するスラストアームを備えたロールチョックに嵌合されたベアリングを抜き出すためのロールチョックベアリング抜出装置であって、
上記圧延ロールが除去された状態での上記ロールチョックにおける上記スラストアームの上記当接面に当接するスラストアーム当接部と、
上記ベアリングを抜き出す力を作用させるジャッキの反力を受けるジャッキ反力受部と、
を有するジャッキ反力受フレームを有することを特徴とする。
【０００８】
これにより、圧延ロールを押し込む方向の力を作用させる当接面を有するスラストアームの上記当接面を反力受けとして利用することによって、ロールチョックのハウジングに嵌め込まれたベアリングを比較的簡単、かつ、確実に抜き出すことが容易にできる。
【考案の効果】
【０００９】
本考案によれば、ロールチョックのベアリングを容易に抜き出すことができる。
【図面の簡単な説明】
【００１０】
【図１】ベアリング抜出装置を装着する前のロールチョックを示す斜視図である。
【図２】ベアリング抜出装置を装着したロールチョックを示す斜視図である。
【図３】ベアリング抜出装置を構成する治具の要部を示す斜視図である。
【考案を実施するための形態】
【００１１】
以下、本考案の実施形態として、例えば図１に示すようなロールチョック１００のベアリング１０２を抜き出すロールチョックベアリング抜出装置の例を説明する。
【００１２】
（ロールチョック１００の構成）
まず、ベアリング１０２を抜き出す対象となるロールチョック１００の構成を説明する。このロールチョック１００は、図１に示すように、ハウジング１０１（チョックライナー）にベアリング１０２が嵌め込まれて構成されている。図示しない圧延ロールは、上記ベアリング１０２に回転自在に支持されるとともに、図示しないスラストベアリングを備えたスラストベアリングケースによって、軸方向の位置を調整されるようになっている。
【００１３】
上記スラストベアリングケースは、スラストアーム１０５・１０６を含む調整機構によって、圧延ロールを押し込む方向の力や引き込む方向の力を圧延ロールに作用させるようになっている。具体的には、ハウジング１０１におけるベアリング１０２の両側には、それぞれ１対のブラケット１０３が設けられ、各１対のブラケット１０３の間に、それぞれ１本ずつのスラストアーム１０５・１０６が支点軸１０４（ピン）を介して回動自在に取り付けられている。各スラストアーム１０５の基部には、圧延ロールを引き込む方向の力をスラストベアリングケースに作用させる当接面１０５ａが形成されている。また、各スラストアーム１０６の基部には、圧延ロールを押し込む方向の力をスラストベアリングケースに作用させる当接面１０６ａが形成されている。また、下方側のブラケット１０３には、スラストベアリングケースを支持すると共に回動を規制する回止部材１０３ａ（スラストベアリングケース受）が内方側に突設されている。
【００１４】
各スラストアーム１０５の先端部には、ヨーク１０５ｂが形成され、ピン１０７およびターンバックル１０８を介して互いに連結されている。上記ターンバックル１０８を伸長させる方向に回動させることによって、各スラストアーム１０５の当接面１０５ａが、スラストベアリングケースに圧延ロールを引き込む方向の力を作用させるようになっている。また、各スラストアーム１０６の先端部には、同様にヨーク１０６ｂが形成され、ピン１０７およびターンバックル１０９を介して互いに連結されている。上記ターンバックル１０９を短縮させる方向に回動させることによって、各スラストアーム１０６の当接面１０６ａが、スラストベアリングケースに圧延ロールを押し込む方向の力を作用させるようになっている。
【００１５】
（ロールチョックベアリング抜出装置の構成）
ロールチョックベアリング抜出装置は、図２に示すように、スラストベアリングケース、および圧延ロールが取り外された状態のハウジング１０１に取り付けられるジャッキ反力受フレーム２００を有している。このジャッキ反力受フレーム２００は、各スラストアーム１０６の当接面１０６ａに当接するスラストアーム当接部２０１と、ベアリング１０２を抜き出す力を作用させる例えば２つのジャッキ２１０の反力を受けるジャッキ反力受部２０２とを有している。より詳しくは、例えば、上記スラストアーム当接部２０１は、ジャッキ反力受フレーム２００がハウジング１０１に取り付けられた状態で下方側のブラケット１０３のスラストベアリングケースの回止部材１０３ａ上に立設載置される鋼板部材における鉛直方向の端面によって形成されている。上記鋼板部材の反対側の端面は、必ずしもスラストアーム１０５の当接面１０５ａに当接させなくてもよいが、当接させることによってジャッキ反力受フレーム２００を安定させることが容易になる。また、ジャッキ反力受部２０２は、ベアリング１０２の外周におけるほぼ１８０°の位置付近に配置される２つのジャッキ２１０のシリンダの端部が当接して、ベアリング１０２を抜き出す際の反力を受けるようになっている。なお、ジャッキ２１０は１つだけ用いるようにしてもよいが、２つ以上用いることによって比較的小型のジャッキ２１０を適用可能にして取り扱いを容易にすることなどができる。上記ジャッキ２１０は、ジャッキ反力受フレーム２００に固定的に取り付けられるようにしてもよいが、単に支持プレートなどに載置されるようにして、ピストンが伸張してベアリング１０２を抜き出す力が作用したときに固定されるようにしてもよい。なお、ジャッキ２１０の種類は特に限定されないが、例えば、油圧シリンダなどが用いられる。
【００１６】
上記のようなジャッキ２１０はベアリング１０２の端面に直接当接して抜き出す力を作用させるようにしてもよいが、図３に示すような押出部材２２０を介するようにしてもよい。このような押出部材２２０を用いることによって、抜き出すベアリング１０２のサイズに柔軟性を持たせることなどが容易にできる。上記ジャッキ反力受フレーム２００は、より詳しくは、例えばジャッキ２１０のピストンから伝達されるベアリング１０２の抜き出し力をベアリング１０２の端面に作用させる押出部２２１を有している。また、ベアリング１０２のインナーレースの内周面における左右位置、および下方位置に当接する位置決部２２２・２２２、および位置決部２２３を有し、ベアリング１０２に対して安定した位置決めを容易にし得るようになっている。
【００１７】
（ベアリング１０２の抜き出し作業）
上記のようなロールチョックベアリング抜出装置を用いることによって、例えば次のようにしてロールチョック１００のハウジング１０１からベアリング１０２を抜き出すことができる。
【００１８】
まず、ロールチョック１００に回転自在に支持される圧延ロールの端部に取り付けられているスラストベアリングケースを取り外すとともに、圧延ロールをロールチョック１００から抜き取る。次に、下方側のブラケット１０３のスラストベアリングケースの回止部材１０３ａ上にジャッキ反力受フレーム２００を載置し、上記スラストベアリングケースが当接していたスラストアーム１０６の当接面１０６ａに、ジャッキ反力受フレーム２００のスラストアーム当接部２０１を当接させる。
【００１９】
また、上記ジャッキ反力受フレーム２００と、ベアリング１０２との間に、押出部材２２０を配置し、押出部材２２０の位置決部２２２・２２３をベアリング１０２のインナーレースの内周面に当接させて位置決めする。次に、上記ジャッキ反力受フレーム２００のジャッキ反力受部２０２と、押出部材２２０の押出部２２１との間にジャッキ２１０を配置する。
【００２０】
上記ジャッキ２１０を伸張させると、スラストアーム１０６の当接面１０６ａの位置はターンバックル１０９によって拘束されるので、ジャッキ２１０から押出部材２２０を介してベアリング１０２を抜き出す方向に作用する力の反力がスラストアーム１０６の当接面１０６ａによって受けられる。それゆえ、ベアリング１０２をハウジング１０１から容易かつ確実に抜き出すことができる。
【００２１】
ここで、例えばジャッキ２１０のストロークが短い場合には、ベアリング１０２が所定量だけ抜き出し方向に移動した時に、ジャッキ反力受フレーム２００のジャッキ反力受部２０２とジャッキ２１０との間に所定の１つ以上のスペーサを介在させて、さらにベアリング１０２を抜き出す方向に移動させ得るようにしてもよい。また、ロールチョック１００に２列以上のベアリング１０２が嵌め込まれている場合には、全てのベアリング１０２を上記のようにジャッキ２１０によって抜き出してもよいが、通常、１列目のベアリング１０２が抜き出されれば、２列目以降のベアリングは比較的容易に抜き出せることも多いので、そのような場合には、他の方法、例えばベアリング１０２を抜き出す方向側からセンターホールジャッキなどを用いて抜き出すなどしてもよい。
【００２２】
上記のように、一般にベアリング１０２を抜き出す際の邪魔になりがちな、圧延ロールのスラスト方向の位置を調整する調整機構の当接面１０６ａを強固な反力受けとして利用することによって、ベアリング１０２を比較的簡単、かつ、確実に抜き出すことが容易にできる。
【符号の説明】
【００２３】
１００      ロールチョック
１０１      ハウジング
１０２      ベアリング
１０３      ブラケット
１０３ａ    回止部材
１０４      支点軸
１０５      スラストアーム
１０５ａ    当接面
１０５ｂ    ヨーク
１０６      スラストアーム
１０６ａ    当接面
１０６ｂ    ヨーク
１０７      ピン
１０８      ターンバックル
１０９      ターンバックル
２００      ジャッキ反力受フレーム
２０１      スラストアーム当接部
２０２      ジャッキ反力受部
２１０      ジャッキ
２２０      押出部材
２２１      押出部
２２２      位置決部
２２３      位置決部
【図１】
0003220884.tif 000003
【図２】
0003220884.tif 000004
【図３】
0003220884.tif 000005